(57)【要約】  ピアス用穿孔器において、穿孔時の痛み軽減、使い回しによる感染症防止、ピアス針等による刺傷防止等が課題である。穿孔に先立ち、消毒剤、皮膚麻酔剤、止血材を含浸したパッチを耳朶等のボディに接着することにより耳朶等のボディに皮膚麻酔を施した後、穿孔を行い、痛みを軽減する。また、穿孔時に穿孔器の構成部品の一部を破断させ再使用できなくすることにより使い回しによる感染を防ぐ。
2014069006.tif 000002
【特許請求の範囲】
【請求項１】
耳朶、頬、鼻側、唇を含むボディのいずれかの部位の両側に配置され、バネによって移動可能に結合された第１、第２の支持部を有し、前記第１の支持部にはピアス針留め具収容部を有し、前記第２の支持部にはピアス針保持部を有し、該ピアス針収容部のピアス針先端部に着脱可能なパッチ収容部を有し、該パッチ収容部には消毒剤、皮膚麻酔剤、止血剤の少なくともいずれかを浸潤させ、耳朶側に接着剤を塗布したパッチが着脱可能に装着され、前記パッチ収容部を装着した状態で前記第１、第２の支持部を近接移動させることにより該パッチを耳朶に接着させることが可能で、該パッチ収容部を脱着した状態で前記第１、第２支持部を移動させることによりピアス針保持部を耳朶や頬や鼻側や唇等のボディに押し出し、当該ボディを穿孔してピアス針とピアス針留め具を結合させることを特徴とする痛み軽減ピアス用穿孔器。
【請求項２】
請求項１記載の痛み軽減ピアス穿孔器において、前記第１、第２の支持部の間に耳朶、頬、鼻側、唇を含むボディのいずれかの部位に該痛み軽減ピアス穿孔器を配置し、該第１、第２の支持部を近接させて前記ボディを挟み込んだ場合、前記パッチが前記パッチ収容部から分離して前記ボディのいずれかの部位に接着されることを特徴とする痛み軽減ピアス用穿孔器。
【請求項３】
請求項１又は２記載の痛み軽減ピアス用穿孔器において、前記パッチ収容部が分離可能な構造となっており、当該部に前記パッチが組み込まれていることを特徴とする痛み軽減ピアス用穿孔器。
【請求項４】
請求項１乃至３のうちの１項記載の痛み軽減ピアス用穿孔器において、前記パッチの接着面の中心に、前記耳朶、頬、鼻側、唇を含むボディのいずれかの部位から該パッチ剥離後も前記ボディのいずれかの部位に印が残るインク剤を塗布したことを特徴とする痛み軽減ピアス用穿孔器。
【請求項５】
請求項１乃至４のうちの１項記載の痛み軽減ピアス用穿孔器において、前記ピアス針穿孔時に前記ピアス針保持部の一部を破断して該ピアス用穿孔器を再使用できなくすることを特徴とする痛み軽減ピアス用穿孔器。
【請求項６】
請求項１乃至５のうちの１項記載の痛み軽減ピアス用穿孔器において、前記ピアス針留め具に脱着可能な樹脂性カバーが装着されていることを特徴とする痛み軽減ピアス用穿孔器。
【請求項７】
請求項１乃至６のうちの１項記載の痛み軽減ピアス用穿孔器において、前記ピアス針及び前記ピアス針留め具を金属皮膚アレルギーを引き起こしにくい金属材料で作製することを特徴とする痛み軽減ピアス用穿孔器。
【請求項８】
請求項１乃至７のうちの１項記載の痛み軽減ピアス用穿孔器において、皮膚麻酔剤を塗布した前記パッチの基材をゴム板あるいはスポンジ板にて構成することを特徴とする痛み軽減ピアス用穿孔器。
【請求項９】
請求項１乃至８のうちの１項記載の痛み軽減ピアス用穿孔器において、前記ピアス針として直径０．８ｍｍ±０．０２ｍｍのピアス針を用いることを特徴とする痛み軽減ピアス用穿孔器。
【請求項１０】
請求項１乃至９のうちの１項記載の痛み軽減ピアス用穿孔器において、前記パッチ収容部を分離したのち、前記ピアス針が耳朶に対し直線状に進むようガイドするピアス針ガイドを設けることを特徴とする痛み軽減ピアス用穿孔器。
【請求項１１】
請求項１０記載の痛み軽減ピアス用穿孔器において、前記ピアス針ガイドは前記ピアス針が耳朶を穿孔したときに破断分離することを特徴とする痛み軽減ピアス用穿孔器。
【請求項１２】
請求項１０記載の痛み軽減ピアス用穿孔器において、前記ピアス針ガイドを重力方向に若干指向ガイドすることを特徴とする痛み軽減ピアス用穿孔器。
【請求項１３】
請求項１乃至１１のうちの１項記載の痛み軽減ピアス用穿孔器において、重力方向に湾曲したピアス針を用いることを特徴とする痛み軽減ピアス用穿孔器。
【発明の詳細な説明】
【技術分野】
【０００１】
本発明は、ピアス式イアリングやボディピアスを装用するための、痛みの少ない穿孔器に関するものである。
【背景技術】
【０００２】
耳たぶ（以下、「耳朶」とも略記する。）を穿孔するピアス針をカートリッジ（ピアス針保持部）に収容し、このピアス針の進行方向にキャッチ（留め具）を備え、該ピアス針と該留め具の間に耳朶を配置し、該ピアス針を押し出して耳朶を穿孔し、留め具と嵌合させる耳朶穿孔器（ピアッサー）については種々な考案がなされている。【０００３】
例えば、特許文献１は、ピアス針によって耳朶を穿孔した場合、穿孔器の器具の一部が破壊される為再使用を不可能にして穿孔器を媒介とした感染を防止することができるとする技術思想を開示している。しかし、特許文献１においては、穿孔器自身が汚れていたり、使用者の手の汚れが耳朶に付着した場合の感染については考慮されていない。【０００４】
また、ピアス針が耳朶を穿孔する場合、バネを用いて、ある位置で一気に穿孔する工夫がなされているが、穿孔の痛み自体を軽減することはできない。さらにこのような耳朶穿孔器を用いて頬や鼻側や唇等（以下、「ボディ」と略記する。）にボディピアス用の穿孔を行う場合はかなりの痛みを生ずる。【０００５】
非特許文献１は、穿孔器と消毒用ジェルがセットとして販売されている例を開示している。かかる技術思想においては、穿孔前にセットの消毒用ジェルで穿孔器の耳朶接触部分や耳朶自体を消毒することができる。しかし、穿孔器と消毒用ジェルは別々であり、穿孔前にジェルをガーゼ等に取り出して穿孔器や耳朶を消毒するのはかなり面倒な手間となる。【０００６】
また、耳朶を穿孔した後は、穿孔した穴が安定するまで１ヶ月ほど穿孔時のピアス針と留め具を仮ピアスとしてそのままにしておく必要がある。このとき、ピアス針の先端や留め具に髪の毛が絡んだり、就寝時の姿勢によっては後頭部に当たって痛みを与える恐れがある。
【先行技術文献】
【特許文献】
【０００７】
【特許文献１】特開２００２−８５１２１号公報
【非特許文献】
【０００８】
【非特許文献１】http://store.shopping.yahoo.co.jp/garage/piercing2.html
【発明の概要】
【発明が解決しようとする課題】
【０００９】
本発明は上述したようなこれまでの問題点を解決するものであり、まず、ピアス用穿孔に先立つ面倒な消毒の手間を簡易化すること、特に穿孔時の痛みをできるだけ軽減することをその課題とする。【００１０】
また、穿孔器を再使用することができないようにし、穿孔器を媒介とした感染を防止することも課題とする。【００１１】
さらに、ピアス針やピアス針留め具の金属によって金属アレルギーを引き起こさないよう考慮すること、特に穿孔後にピアス針の先端や留め具に髪の毛が絡んだり（耳朶用の場合）、耳朶裏の皮膚（耳朶用の場合）や触手時に皮膚を傷付けないようにする（その他の部位用の場合）ことも課題である。
【課題を解決するための手段】
【００１２】
上記のような各課題を解決するために、本発明に係る痛み軽減ピアス用穿孔器においては、請求項１の如く、耳朶やボディを穿孔するためのピアス針、該ピアス針の先端を固定する留め具（キャッチ）を収容する第１の支持部、該ピアス針を内装するピアス針保持部を内装する第２の支持部、該第２支持部のピアス針前方に着脱可能な基台（パッチ収容部）を設け、基台前方に消毒剤、皮膚麻酔剤、止血剤を含んだパッチを収容したことを特徴としている。【００１３】
また、請求項２の如く、上記穿孔器で耳朶やボディを挟んだ場合、第１ステップとして、請求項１のパッチ部分が分離して耳朶やボディに接着することを特徴としている。【００１４】
さらに、請求項３の如く、請求項１の穿孔器のパッチ収容部が分離可能な構造となっており、当該部に請求項１のパッチが組み込まれていることを特徴としている。【００１５】
さらに、請求項４の如く、請求項１乃至３の穿孔器において、パッチの接着側の中央に皮膚用インクによるマークを塗布してあることを特徴とする。【００１６】
請求項５においては、ピアス針による穿孔時にピアス針保持部の一部を破断することにより穿孔器を再使用できなくすることを特徴とする。【００１７】
また、請求項６のごとく、ピアス針の先端や留め具で皮膚を傷つけたり、髪の毛が絡んだりするのを防ぐため、留め具に柔軟性のあるキャップを付加することを特徴とする。【００１８】
請求項７では、請求項１乃至６のうちの１項記載の穿孔器において、ピアス針及びピアス針留め具にチタンやステンレス鋼のような金属アレルギーを引き起こしにくい金属を用いることを特徴とする。
【発明の効果】
【００１９】
上記構成を有する本発明によれば、耳朶やボディの穿孔前に穿孔器に取り付けられた消毒剤、皮膚麻酔剤、止血剤を含んだパッチを耳朶やボディに貼り付けるため、穿孔前の消毒剤でのふき取りの手間を省略できると共に、麻酔剤によって穿孔時の痛みを軽減し、止血剤によって出血を抑えることができる。【００２０】
上記皮膚麻酔剤によって耳朶やボディに麻酔がかかった場合、麻酔中心に皮膚マークが付いているため、そこに狙いをつけて穿孔を行えば、穿孔時の痛みを軽減することができる。【００２１】
また、ピアス針や留め具には請求項５乃至９のアレルギーを起こしにくい金属を用いることにより、ピアス使用による金属アレルギー反応を抑えることができる。【００２２】
さらに、ピアス針先端を固定する留め具には柔軟性のある樹脂キャップが附属されているため、髪の毛が絡んだり、耳たぶ裏側の頭皮を傷付けることが無い。
【図面の簡単な説明】
【００２３】
【図１】本発明の一実施形態に係る穿孔器を示す概略断面図である。
【図２】本発明の一実施形態に係る穿孔器の各部斜視図である。
【図３】本発明の一実施形態に係る穿孔器によりパッチを接着している場合の断面図である。
【図４】本発明の一実施形態に係る穿孔器により穿孔する直前の状態を示す図である。
【図５】本発明の一実施形態に係る穿孔器により穿孔した瞬間の図である。
【図６】本発明の一実施形態に係る穿孔器によって穿孔が完了した場合の図である。
【図７】本発明の他の実施形態に係る穿孔器の概略図である。
【図８】本発明の別の実施形態に係る穿孔器の概略断面図である。
【図９】本発明のさらに別の実施形態に係るピアス針の先端の加工の詳細図である。
【図１０】本発明のまた別の実施形態に係るピアス針ガイドを示す概略図である。
【図１１】本発明の一実施形態に係るピアス針ガイドが破断する際の過程を模式的に示した断面図であり、（ａ）はピアス針ガイド１０−１を装着した状態、（ｂ）はピアス針ガイド１０−１が耳朶Ａに押し付けられて破断分離する状態、（ｃ）はピアス針７が無事耳朶Ａに装着された状態、をそれぞれ表した図である。
【図１２】本発明のさらに別の実施形態に係るピアス針ガイドを示す斜視図である。
【図１３】本発明のさらに別の実施形態に係るピアス針を示す概略的平面図である。
【発明を実施するための形態】
【００２４】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２５】
図１は本発明の一実施形態に係る穿孔器１の概略断面図である。本発明の一実施形態に係る穿孔器１は支持部２と支持部３とを少なくとも備えて構成され、支持部２にはピアス針留め具収容部５が設けられており、支持部３にはピアス針保持部６とパッチ収容部８が取り付けられている。
【００２６】
支持部２と支持部３とは、バネ４と支持部２の抜け止め突起２−１及び支持部３の抜け止め段差３−２及びバネ４によって摺動可能かつ抜け落ちしないように組み立てられている。
【００２７】
図１の断面概略図では分かりづらい部分を図２の斜視図で説明する。支持部２の頂部に設けられたピアス針留め具収容部５にはピアス針留め具１１が挿入されており、ピアス針留め具１１にはカバー１３が付加されている。また、支持部２のバネ収容部２−２の上部には押さえバネ１０が設けられている。
【００２８】
支持部３に設けられているピアス針保持部６はピアス針７の飾り形状に合わせた窪みを有するピアス針保持片ａ６−１とピアス針保持片ｂ６−２を備えて構成され、ピアス針保持片ａ６−１及びピアス針保持片ｂ６−２にはそれぞれ突起６−３が付いている。
【００２９】
同じく支持部３に設けられているパッチ収容部８の両側面には突起レール８−１があり、突起レール８−１が支持部３の両側にある溝３−３に嵌合し、図１のごとくピアス針７の前方に着脱可能に取り付けられている。
【００３０】
パッチ収容部８には、消毒薬剤及び皮膚麻酔薬剤並びに止血剤を含ませたパッチ９が着脱可能に取り付けられている。また、ピアス針７の先端とは逆方向のパッチ９の表面には耳朶ＡやボディＡの皮膚にマーク付け可能なインクマーク９−１及び皮膚接着剤（図示せず）が塗布されている。
【００３１】
次に、本穿孔器１の動作を説明する。図１に図示した如く支持部２と支持部３との間に耳朶ＡやボディＡを配置し、図３のごとく支持部２及び支持部３を例えば手でつかみ、両側から押して、耳朶ＡやボディＡを支持部３のピアス針留め具収容部５と支持部３のパッチ収容部８で挟み込む。パッチ収容部８の先端にはパッチ９が付いており、パッチ９の表面に付けられた接着剤によってパッチ９は耳朶ＡやボディＡに接着される。
【００３２】
上記状態にて押す手を緩めると、バネ４の反発力によって支持部２と支持部３の位置は図１の状態に戻る。しかし、パッチ９は、耳朶ＡやボディＡに接着されているためパッチ収容部８から離れて耳朶ＡやボディＡに付いたままとなる。
【００３３】
パッチ９には消毒剤、皮膚麻酔剤、止血剤が含浸されているので、麻酔が効いてくる一定時間そのまま耳朶ＡやボディＡに接着したままにしておく。麻酔が効いた一定時間後パッチ９を耳朶ＡやボディＡから剥がすと耳朶ＡやボディＡの表面にはパッチ９の表面に塗布したインクマーク９−１によってマークが付けられる。
【００３４】
耳朶ＡやボディＡへの麻酔が効いているうちに、支持部３からパッチ収容部８を外し、支持部２と支持部３との間に耳朶ＡやボディＡを配置し、図４のごとく支持部３から付き出たピアス針７の先端を耳朶ＡやボディＡの表面に付けられたマークに合わせて、再度支持部２と支持部３を手で挟み両側から押し、図５のごとく耳朶ＡやボディＡを穿孔する。
【００３５】
耳朶ＡやボディＡの表面に付いたマークはインクマーク９−１によって付けられており、麻酔が効いている中心であるから、この部分を穿孔してやれば、穿孔時の痛みが最も少なくなる。
【００３６】
図４は穿孔直前の状態を図示しており、支持部３に取り付けられたピアス針保持部６の突起６−３が支持部３の押さえバネ１０の後端に引っかかって破損しながら耳朶ＡやボディＡをピアス針７によって穿孔する。これによりピアス針保持部６は再使用ができなくなる。
【００３７】
図６は、耳朶ＡやボディＡの穿孔後、押す手を緩めつつある場合を図示しており、ピアス針７を保持していたピアス針保持部６は支持部３の押さえバネ１０によって押されて、ピアス針保持片ａ６−１、ピアス針保持片ｂ６−２に分解されてピアス針７から離脱する。
【００３８】
耳朶ＡやボディＡを穿孔したピアス針７は、支持部２のピアス針留め具収容部５に収容されていたピアス針留め具１１と嵌合し、ピアス針７は耳朶ＡやボディＡから脱落しない。また、ピアス針留め具１１は、カバー１３で覆われているため髪の毛が絡んだり皮膚を傷つけることが無い。
【００３９】
上記説明のごとく、耳朶ＡやボディＡ穿孔時に、ピアス針保持部６の突起６−３が破断されるため、ピアス針保持部６を正しい位置に再装填することができなくなり、これにより本発明による穿孔器１を再使用することができなくなり、再使用による感染を防ぐことができる。
【００４０】
なお、耳朶ＡやボディＡを穿孔した後は、穿孔した穴が安定するまで１ヶ月ほど穿孔時のピアス針７とピアス針留め具１１を仮ピアスとしてそのままにしておく必要がある。なお、ピアス針留め具１１を覆うカバー１３は、肌を痛めぬよう柔軟性のある合成樹脂等の素材で構成されることが望ましい。
【００４１】
上記までに説明した本発明の一実施形態に係る穿孔器１は支持部２と支持部３をスライド式に連接して構成していたが、本発明の基本趣旨は請求項１のごとくで、色々な形態のピアス用穿孔器に応用できるものである。
【００４２】
例えば、図７は上記スライド式のピアス用穿孔器１の支持部３にピストル型のグリップ７１を取り付け、支持部２にトリガー型の引手７２を取り付けた例であり、ピストルの引き金を引くようにして、穿孔をより容易にした例である。
【００４３】
また、図８は支持部２に相当する支持部８１と支持部３に相当する支持部８２とをピポット８３で枢支的に構成した例である。支持部８１及び支持部８２を手で挟んでパッチ９を耳朶ＡやボディＡに接着するまでは上記スライド式の例と同じであるが、麻酔完了後はパッチ収容部８を取り外し、支持部８１及び支持部８２を手のひらで挟みながらピストンプランジャー８４を押してピアス針７で耳朶ＡやボディＡを穿孔する。ピアス針保持部６が穿孔時に破断するのは上記スライド式の例と同じである。
【００４４】
次に、本発明のさらに別の実施形態について説明する。上記に説明してきたように、皮膚麻酔剤を用いることにより耳朶穿孔時の痛みを大幅に軽減できるが、痛みを完全に無くすことはできない。さらなる痛み軽減の方法として、本発明者は、（１）皮膚麻酔剤の皮膚への浸透を促進すること、（２）ピアス針の直径を細くすること、（３）ピアス針をぶれない様ガイドを設けること、（４）ピアス針を耳朶に対し押し下げ気味に穿孔すること、を着想した。
【００４５】
皮膚麻酔剤の浸透を促進させる方法として、皮膚麻酔剤を塗布したパッチの基材をゴム板、やスポンジにすることにより、耳朶皮膚表面の微細な凹凸に対して均一な圧力で皮膚麻酔剤を押しつけることができ、麻酔剤の浸透効果を高めることができる。
【００４６】
ピアス針が耳朶を穿孔する場合、皮膚が痛みを感じるのは、皮膚には痛みを感じる痛点があり、皮膚１平方センチあたり１００〜２００個の痛点が分布しているとされる。この痛点をピアス針が刺突することにより痛みを感じるわけであるから、刺突時の痛みはピアス針の直径に逆比例していると言えよう。ピアス針を細くすればするほど穿孔時の痛みは軽減できるが、耳朶を穿孔するための強度を有する太さ（直径）と、穿孔後に色々なピアス飾りを装着するための太さと、ピアス針留め具としっかり嵌合させるためピアス針先端部の加工ができる太さも必要である。図９はピアス針の一実施例であり、上記ピアス針先端の加工の詳細を図示するものである。
【００４７】
ピアス針の材料としては、アレルギーを引き起こしにくい金属チタンが用いられることが多いが、チタンは硬度が高く加工が難しく、現在直径１．２ｍｍのピアス針が用いられている。しかし、各種ピアス針を試作した結果、穿孔時の痛みを軽減し、強度を保ち、且つ各種ピアス飾りを装着するためには従来より細い直径０．８ｍｍのピアス針が最も適していることが経験的に求められた。
【００４８】
現在、従来の切削加工方法に加えて、放電加工等による精密チタン切削工法が開発され、直径０．８ｍｍ±０．０２ｍｍ程度のチタン製ピアス針を作成することが可能になった。このピアス針を用いれば、従来の直径１．２ｍｍのピアス針に比べて、断面面積比６４／１４４となり従来のピアス針に比べて半分以下に痛みを軽減することが可能となる。
【００４９】
次に、ピアス針が耳朶を刺突する場合、ピアス針が耳朶をまっすぐ一直線上に進まず、ピアス針が上下左右にぶれるとピアス針と耳朶の摩擦が増え痛みを増加させる。これを避けるため、ピアス針がぶれることなく一直線上に耳朶に向かって進むためのガイドが必要となってくる。図１０は、このピアス針ガイドの一実施例を示す概略図である。
【００５０】
パッチ収容部を取り去ったのち、ピアス針ガイド１０−１をパッチ収容部と同様に支持部３の溝３−３に沿って取り付ける。ピアス針ガイド１０−１はピアス針先端に相当する部分にピアス針直径より若干大きい穴１０−２が開けられており、ピアス針が送り出されるときはこの穴を通して送られるためピアス針のブレを抑えることができる。また、本ピアス針ガイド１０−１はピアス針をガイドする穴の上下に溝１０−３が掘りこまれており、ピアス針が装着された後はこの溝１０−３に沿ってピアス針ガイド１０−１は破断して落下し、ピアス針の装着には邪魔にならない。
【００５１】
図１１には上記の過程を示しており、同図（ａ）はピアス針ガイド１０−１を装着した断面図であり、同図（ｂ）はピアス針ガイド１０−１が耳朶Ａに押し付けられて破断分離する様子を表し、同図（ｃ）はピアス針７が無事耳朶Ａに装着された状態を表している。
【００５２】
更に、ピアス針を耳朶に対してほぼ直角に刺突するよりも重力方向に若干下向きに刺突する方が痛みが少ないことが経験的に知られている。このためピアス針を図１３の如く若干下方に歪曲させておいたり、上記ピアス針ガイド１０−１の穴１０−２を図１２の如く下方に向けて若干長穴１０−４としておく方法がある。
【産業上の利用可能性】
【００５３】
上記、スライド式、ピストル式、回転式のボディ穿孔器の例を説明したように本発明は色々な形態のピアス用穿孔器に応用できるものである。
【符号の説明】
【００５４】
１…本発明の一実施形態に係る穿孔器、２…支持部、２−１…抜け止め突起、２−２…バネ収容部、３…支持部、３−１…ピアス針保持部ストッパ、３−２…抜け止め段差、３−３…溝、４…バネ、５…ピアス針留め具収容部、６…ピアス針保持部、６−１…ピアス針保持片ａ、６−２…ピアス針保持片ｂ、６−３…突起、７…ピアス針、８…パッチ収容部、８−１…突起レール、９…パッチ、９−１…インクマーク、１０…押さえバネ、１０−１…ピアス針ガイド、１０−２…穴、１０−３…溝、１１…ピアス針留め具、１３…カバー、７１…ピストル型グリップ、７２…引手、８１…支持部、８２…支持部、８３…ピポット、８４…ピストンプランジャー
【図１】
2014069006.tif 000003
【図２】
2014069006.tif 000004
【図３】
2014069006.tif 000005
【図４】
2014069006.tif 000006
【図５】
2014069006.tif 000007
【図６】
2014069006.tif 000008
【図７】
2014069006.tif 000009
【図８】
2014069006.tif 000010
【図９】
2014069006.tif 000011
【図１０】
2014069006.tif 000012
【図１１】
2014069006.tif 000013
【図１２】
2014069006.tif 000014
【図１３】
2014069006.tif 000015
【国際調査報告】
2014069006.tif 000016
2014069006.tif 000017
2014069006.tif 000018
2014069006.tif 000019